(57)【要約】【課題】  浴槽への湯張りの湯量と湯温の設定値変更を簡単に行なうことが可能な給湯装置を提供すること。【解決手段】  制御装置２００は、浴槽５０内へ湯張りするときの制御項目である湯量Ｖおよび湯温Ｔのそれぞれの設定値を組み合わせとして記憶し、湯張りする際には、組み合わせとして選択された湯量Ｖおよび湯温Ｔの設定値に基づいて湯張り制御を実行する。  したがって、複数のユーザが、それぞれの好みの湯量および湯量で湯張りを行ないたい場合等に、予め記憶させた湯量Ｖと湯温Ｔの設定値の組み合わせから簡単に選択設定することができる。【選択図】        図１
2006220324.tif 000002
【特許請求の範囲】
【請求項１】
給湯状態を制御する制御手段（２００）を備える給湯装置であって、
前記制御手段（２００）は、
給湯に関連する複数の制御項目（Ｖ、Ｔ）のそれぞれの設定値を組み合わせとして記憶し、
前記複数の制御項目（Ｖ、Ｔ）を制御するときには、組み合わせとして選択されたそれぞれの設定値に基づいて制御することを特徴とする給湯装置。
【請求項２】
前記複数の制御項目（Ｖ、Ｔ）は、浴槽（５０）内へ湯張りするときの複数の制御項目（Ｖ、Ｔ）であることを特徴とする請求項１に記載の給湯装置。
【請求項３】
前記浴槽（５０）内へ湯張りするときの複数の制御項目（Ｖ、Ｔ）は、湯量（Ｖ）および湯温（Ｔ）であることを特徴とする請求項２に記載の給湯装置。
【発明の詳細な説明】
【技術分野】
【０００１】
本発明は、給湯状態を制御する制御手段を備える給湯装置に関する。
【背景技術】
【０００２】
従来技術として、下記特許文献１に開示された給湯装置がある。この給湯装置では、制御装置が、湯張りする浴槽内の湯量を、設定された全身浴や半身浴に対応する湯量に切り替えられるようになっている。また、浴槽内の湯は、設定された温度となるように、加熱された湯の落とし込みや追い炊きが行なわれるようになっている。
【特許文献１】特開２００２−２６７２５５号公報
【発明の開示】
【発明が解決しようとする課題】
【０００３】
しかしながら、ユーザが異なる場合や、同一ユーザであっても入浴時の気分が異なる場合には、ユーザが希望する湯量や湯温が変化することがある。このような場合には、上記従来技術の給湯装置では、その都度制御装置の制御項目（湯量および湯温）毎に設定値を変更する必要があり、複数の制御項目について設定値変更する場合には設定操作が煩雑であるという問題がある。
【０００４】
本発明は、上記点に鑑みてなされたものであり、複数の制御項目の設定値変更を簡単に行なうことが可能な給湯装置を提供することを目的とする。
【課題を解決するための手段】
【０００５】
上記目的を達成するため、請求項１に記載の発明では、給湯状態を制御する制御手段（２００）を備える給湯装置であって、制御手段（２００）は、給湯に関連する複数の制御項目（Ｖ、Ｔ）のそれぞれの設定値を組み合わせとして記憶し、複数の制御項目（Ｖ、Ｔ）を制御するときには、組み合わせとして選択されたそれぞれの設定値に基づいて制御することを特徴としている。
【０００６】
これによると、複数の制御項目（Ｖ、Ｔ）の設定値を組み合わせとして選択設定することができる。したがって、複数の制御項目（Ｖ、Ｔ）の設定値変更操作は極めて簡単である。
【０００７】
また、請求項２に記載の発明のように、給湯に関連する複数の制御項目（Ｖ、Ｔ）は、浴槽（５０）内へ湯張りするときの複数の制御項目（Ｖ、Ｔ）とすることができる。
【０００８】
これによれば、入浴者の希望に応じた湯張りに関する複数の制御項目（Ｖ、Ｔ）の設定値変更を簡単に行なうことができる。
【０００９】
また、請求項３に記載の発明では、浴槽（５０）内へ湯張りするときの複数の制御項目（Ｖ、Ｔ）は、湯量（Ｖ）および湯温（Ｔ）であることを特徴としている。
【００１０】
これによると、入浴者が希望する湯量（Ｖ）および湯温（Ｔ）の設定値変更を簡単に行なうことができる。
【００１１】
なお、上記各手段に付した括弧内の符号は、後述する実施形態記載の具体的手段との対応関係を示す一例である。
【発明を実施するための最良の形態】
【００１２】
以下、本発明の実施の形態を図に基づいて説明する。
【００１３】
図１は、本発明を適用した一実施形態における貯湯式の給湯装置の概略構成を示す模式図である。
【００１４】
１は耐食性に優れた金属製（例えばステンレス製）の貯湯タンクであり、外周部に図示しない断熱材が配置されており、高温の給湯用水を長時間に渡って保温することができるようになっている。貯湯タンク１は縦長形状であり、その底面には導入口１１が設けられ、この導入口１１には貯湯タンク１内に水道水を導入する導入管（給水経路に相当）１２が接続されている。
【００１５】
導入管１２には図示しない温度検出手段である給水サーミスタと流量検出手段である流量カウンタが設けられており、導入管１２内の温度情報および流量情報を後述する制御装置２００に出力するようになっている。
【００１６】
また、導入管１２には減圧弁６３が設けられており、貯湯タンク１内に水道水が穏やかに導入されるようになっている。導入管１２の減圧弁６３、給水サーミスタおよび流量カウンタが設けられた位置より下流側と後述する混合弁１６とは給水配管（バイパス経路に相当）１５により繋がれている。
【００１７】
一方、貯湯タンク１の最上部には導出口１３が設けられ、導出口１３には貯湯タンク１内の高温の湯を導出するための導出管（出湯経路に相当）１４が接続されている。１６は混合弁であり、導出管１４と給水配管１５との合流点に配置されている。そして、混合弁１６は開口面積比を調節することにより、導出管１４からの高温の湯と給水配管１５からの水道水との混合比を調節できるようになっている。
【００１８】
なお、混合弁１６はサーボモータ等の駆動源により弁体を駆動する電動弁であり、後述する制御装置２００からの制御信号により作動するとともに、作動状態を制御装置２００に出力するようになっている。
【００１９】
混合弁１６の出口側には浴槽５０への混合給湯通路である配管１７が接続している。配管１７には図示しない温度検出手段である給湯サーミスタと流量検出手段である流量カウンタが設けられており、配管１７内の温度情報および流量情報を後述する制御装置２００に出力するようになっている。
【００２０】
導出管１４には、この管から分岐する導出管２４が接続されている。この導出管２４と給水配管１５から分岐した給水配管２５との合流点には、混合弁２６が設けられている。そして、混合弁２６は開口面積比を調節することにより、導出管２４からの高温の湯と給水配管２５からの水道水との混合比を調節できるようになっている。
【００２１】
なお、混合弁２６も混合弁１６と同様に、サーボモータ等の駆動源により弁体を駆動する電動弁であり、後述する制御装置２００からの制御信号により作動するとともに、作動状態を制御装置２００に出力するようになっている。
【００２２】
混合弁２６の出口側にはシャワー等への混合給湯通路である配管２７が接続している。配管２７には図示しない温度検出手段である給湯サーミスタと流量検出手段である流量カウンタが設けられており、配管２７内の温度情報および流量情報を後述する制御装置２００に出力するようになっている。
【００２３】
貯湯タンク１の下面には、貯湯タンク１内の水を吸入するための吸入口１８が設けられ、貯湯タンク１の上面には、貯湯タンク１内に湯を吐出する吐出口１９が設けられている。吸入口１８と吐出口１９とは循環回路２０で接続されており、循環回路２０の一部はヒートポンプユニット２内に配置されている。
【００２４】
循環回路２０のヒートポンプユニット２内に配置された部分には、図示しない熱交換器が設けられており、吸入口１８から吸入した貯湯タンク１内の水を高温冷媒との熱交換により加熱し、吐出口１９から貯湯タンク１内に戻すことにより貯湯タンク１内の水を沸き上げることができるようになっている。
【００２５】
ヒートポンプユニット２は、本実施形態における加熱手段である。なお、ヒートポンプユニット２は後述する制御装置２００からの制御信号により作動するとともに、作動状態を制御装置２００に出力するようになっている。
【００２６】
貯湯タンク１の下部外壁面には、貯湯タンク１内下部の水温を検出する図示しない入水サーミスタが設けられており、導入口１１から導入された水の温度情報を後述する制御装置２００に出力するようになっている。また、貯湯タンク１の上部外壁面には、貯湯タンク１内上部の水温を検出する図示しない出湯サーミスタが設けられており、導出口１３から導出される湯の温度情報を後述する制御装置２００に出力するようになっている。
【００２７】
なお、加熱手段であるヒートポンプユニット２が循環回路２０に設けられた図示しない熱交換器により循環回路２０内の水を加熱するときには、制御装置２００は、入水サーミスタからの温度情報に基づいてヒートポンプユニット２を作動制御するようになっている。
【００２８】
さらに、貯湯タンク１の外壁面には図示しない複数の水位サーミスタが縦方向にほぼ等間隔に配置され、貯湯タンク１内に満たされた水の各水位レベルでの温度情報を後述する制御装置２００に出力するようになっている。
【００２９】
例えば、容量３００Ｌの貯湯タンク１の外壁面に５つの水位サーミスタを設けた場合には、容量５０Ｌ刻みの水位レベルの温度情報を出力し、貯湯タンク１内上方の沸き上げられた湯と貯湯タンク１内下方の沸き上げられる前の水との境界面を５０Ｌ刻みで検出できるようになっている。
【００３０】
１００は制御条件設定・表示を行なうための操作盤（リモコン）であり、各種操作スイッチの信号を後述する制御装置２００に出力するとともに、制御装置２００からの制御信号により表示手段である表示部１１０の表示を行なうようになっている。
【００３１】
操作盤１００は、台所もしくはその近傍に設置される台所リモコン、および浴室内に設置される浴室リモコンのいずれであってもよく、本例では操作盤１００を浴室リモコンとした場合について説明する。
【００３２】
浴室リモコンをなす操作盤１００には、図３に示すように、風呂自動スイッチ（ふろ自動ボタン）１２１、風呂選択スイッチ（ふろ選択ボタン）１２２、高スイッチ（高ボタン、アップスイッチ）１２３、および低スイッチ（低ボタン、ダウンスイッチ）１２４等の操作スイッチが設けられている。
【００３３】
また、２００は制御手段である制御装置であり、各サーミスタからの温度情報、流量カウンタからの流量情報および操作盤１００に設けられた操作スイッチからの信号等に基づいて、ヒートポンプユニット２、混合弁１６、１７および操作盤１００の表示部１１０等を制御するように構成されている。
【００３４】
次に、上記構成に基づき本実施形態の給湯装置の浴槽５０内への湯張りに関する制御動作について説明する。
【００３５】
ここでは、浴槽５０内への湯張りに関する複数の制御項目である湯量Ｖおよび湯温Ｔを予め設定する湯張り設定モード、設定された湯量Ｖおよび湯温Ｔの設定値を選択する湯張り設定選択モード、および浴槽５０内への湯張り制御について説明する。
【００３６】
まず、湯張り設定モードについて説明する。図２は、湯張り設定モードにおける制御装置２００の制御動作を示すフローチャートである。
【００３７】
図２に示すように、制御装置２００は、操作盤１００のふろ選択ボタン１２２が所定時間以上（本例では３秒以上）長押しされたと判断した場合には（ステップＳ１１０）、湯張り設定モードの制御を開始し、図３（ａ）に示すように、操作盤１００の表示部１１０に、内蔵する記憶手段が記憶していた湯量Ｖおよび湯温Ｔの設定値の組み合わせを複数（本例では未設定（未登録）を含め５つ）表示する。
【００３８】
次に、設定値を変更または追加したい設定値の組み合わせが高／低ボタン１２３、１２４で選択され（ステップＳ１２０）、ふろ選択ボタン１２２が押されて確定されたら（ステップＳ１３０）、表示部１１０を図３（ｂ）に示すような設定画面に移行する。
【００３９】
図３（ａ）では、「湯張り設定１」の設定値の組み合わせが選択され、確定されて、図３（ｂ）に示す「湯張り設定１」の設定画面に移行した場合を例示している。
【００４０】
操作盤１００の表示部１１０が設定画面に移行し、湯量Ｖと湯温Ｔとが高／低ボタン１２３、１２４で設定変更され（本例では湯量Ｖのみ変更）、ふろ選択ボタン１２２が押されたら、変更された設定値の組み合わせを「湯張り設定１」として登録完了し（ステップＳ１４０）、記憶手段に記憶する。
【００４１】
ステップＳ１４０では、具体的には、まず高／低ボタン１２３、１２４で湯量Ｖの設定変更が行なわれ、次にふろ選択ボタン１２２で湯温Ｔ設定に移行してから、高／低ボタン１２３、１２４で湯温Ｔの設定変更が行なわれ、最後にふろ選択ボタン１２２で設定を完了する。
【００４２】
次に、湯張り設定選択モードについて説明する。図４は、湯張り設定選択モードにおける制御装置２００の制御動作を示すフローチャートである。
【００４３】
図４に示すように、制御装置２００は、操作盤１００のふろ選択ボタン１２２が押された（長押しされた場合を除く）と判断した場合には（ステップＳ２１０）、湯張り設定選択モードの制御を開始し、図５に示すように、操作盤１００の表示部１１０に、内蔵する記憶手段が記憶していた湯量Ｖおよび湯温Ｔの設定値の組み合わせを複数（本例では未設定（未登録）を含め５つ）表示する。
【００４４】
次に、設定値の組み合わせが複数の中から高／低ボタン１２３、１２４で選択され（ステップＳ２２０）、ふろ選択ボタン１２２が押されて確定されたら（ステップＳ２３０）、選択が完了する。
【００４５】
図５では、「湯張り設定１」の設定値の組み合わせが選択された場合を例示している。
【００４６】
制御装置２００は、選択が完了した設定値の組み合わせ（本例では「湯張り設定１」の組み合わせ）を記憶手段に記憶する。
【００４７】
次に、湯張り制御動作について説明する。図６は、制御装置２００の湯張り制御動作を示すフローチャートである。
【００４８】
図６に示すように、制御装置２００は、まず、操作盤１００の表示部１１０上に記憶手段が記憶している現在選択されている湯量Ｖおよび湯温Ｔの設定値の組み合わせを表示する（ステップＳ３１０）。
【００４９】
このとき、ふろ自動ボタン１２１が押されたと判断したら（ステップＳ３２０）、記憶手段が記憶している現在選択されている湯量Ｖおよび湯温Ｔの設定値（表示されている組み合わせの設定値）を制御目標値とし（ステップＳ３３０）、浴槽５０内への湯張りを開始する。
【００５０】
混合弁１６の開口面積比を調節して設定温度Ｔの湯を浴槽５０内に注入し（ステップＳ３４０）、浴槽５０内への注入湯量が設定湯量Ｖとなったら（ステップＳ３５０）、浴槽５０内への湯の注入を停止する（ステップＳ３６０）。
【００５１】
ここで、制御装置２００の記憶手段は、複数の制御項目の設定値群記憶手段であると言える。また、操作盤１００は、複数の制御項目の設定値群登録手段であるとともに設定値群選択手段であると言える。
【００５２】
上述の構成および作動によれば、制御装置２００は、浴槽５０内へ湯張りするときの制御項目である湯量Ｖおよび湯温Ｔのそれぞれの設定値を組み合わせとして記憶し、湯張りする際には、組み合わせとして選択された湯量Ｖおよび湯温Ｔの設定値に基づいて湯張り制御を実行する。
【００５３】
したがって、複数のユーザ（入浴者）が、それぞれの好みの湯量および湯量で湯張りを行ないたい場合や、同一のユーザが、気分等により湯量および湯量を変えて湯張りを行ないたい場合であったとしても、予め記憶された湯量Ｖと湯温Ｔの設定値の組み合わせから選択設定することができる。
【００５４】
このように、本実施形態によれば、湯張りに関する複数の制御項目である湯量Ｖと湯温Ｔの、ユーザの希望に応じた設定値変更操作は極めて簡単である。
【００５５】
例えば、複数の入浴者が、それぞれ全身浴と半身浴をする場合に、異なる湯量Ｖと湯温Ｔの組み合わせを希望する場合であっても、予め組み合わせとして設定登録しておくことができる。
【００５６】
また、設定登録する場合も、湯張り設定モード制御で説明したように、既に設定登録されている設定値の組み合わせのうち、変更を希望する項目のみを変更することで容易に対応することができる。
【００５７】
このように、ユーザが希望するきめ細かな湯張りを容易に提供することが可能である。
【００５８】
（他の実施形態）
上記一実施形態では、湯量Ｖおよび湯温Ｔの設定値の組み合わせとしての登録や、湯量Ｖおよび湯温Ｔの設定値の組み合わせとしての選択は、操作盤１００のふろ選択ボタン１２２等により行なうものであったが、これに限定されるものではなく、操作盤１００の他のスイッチで行なうものであってもよいし、操作盤１００以外の手段で行なうものであってもよい。
【００５９】
また、上記一実施形態では、湯量Ｖおよび湯温Ｔの設定値は、数値であったが、登録および選択時に数値表示を直接行なわず、数値と関連する間接的な表現によるものであってもよい。例えば、湯量多め／少なめ、温度熱め／ぬるめ、全身浴／半身浴等の表示を行なうものであってもよい。
【００６０】
また、上記一実施形態では、浴槽５０内湯張り時の制御項目は、湯量Ｖおよび湯温Ｔであったが、他の制御項目であってもかまわない。例えば、泡風呂の有無、温泉成分添加の有無、アルカリイオン添加の有無等を制御項目としてもかまわない。また、組み合わせる制御項目は３つ以上であってもかまわない。
【００６１】
また、上記一実施形態では、浴槽５０内への湯張り制御における複数の制御項目の設定値を組み合わせるものであったが、これに限定されるものではなく、給湯に関連する複数の制御項目の設定値を組み合わせるものであってもよい。例えば、シャワーへの給湯における湯温とアルカリイオン添加有無を組み合わせるものであってもよい。
【００６２】
また、上記一実施形態では、給湯装置はヒートポンプ装置を加熱手段とする貯湯式の給湯装置であったが、これに限定されるものではない。例えば、電気ヒータを加熱手段とする貯湯式の給湯装置であってもよいし、瞬間式の給湯装置であってもよい。
【図面の簡単な説明】
【００６３】
【図１】本発明を適用した一実施形態における給湯装置の概略構成を示す模式図である。
【図２】湯張り設定モードにおける制御装置２００の制御動作を示すフローチャートである。
【図３】（ａ）、（ｂ）は、湯張り設定モードにおける操作盤１００の状態例を示す図である。
【図４】湯張り設定選択モードにおける制御装置２００の制御動作を示すフローチャートである。
【図５】湯張り設定選択モードにおける操作盤１００の状態例を示す図である。
【図６】制御装置２００の湯張り制御動作を示すフローチャートである。
【符号の説明】
【００６４】
１  貯湯タンク
２  ヒートポンプユニット
１６  混合弁
５０  浴槽
１００  操作盤
１１０  表示部
１２１  ふろ自動ボタン
１２２  ふろ選択ボタン
１２３  高ボタン
１２４  低ボタン
２００  制御装置（制御手段）
Ｔ  湯温
Ｖ  湯量
【図１】
2006220324.tif 000003
【図２】
2006220324.tif 000004
【図３】
2006220324.tif 000005
【図４】
2006220324.tif 000006
【図５】
2006220324.tif 000007
【図６】
2006220324.tif 000008